(57)【要約】      （修正有）【課題】反りの発生を改善することができる化粧材を提供する。【解決手段】芯材１１を介して第１化粧板１２と第２化粧板１３とが載置された化粧材１０であって、上記芯材１１の外周部の少なくとも一部に保持部材１４が設けられており、上記第１化粧板１２と上記第２化粧板１３とは、上記保持部材１４により保持されていることを特徴とする化粧材１０。【選択図】図１
2019010799.tif 000002
【特許請求の範囲】
【請求項１】
芯材を介して第１化粧板と第２化粧板とが載置された化粧材であって、
前記芯材の外周部の少なくとも一部に保持部材が設けられており、
前記第１化粧板と前記第２化粧板とは、前記保持部材により保持されている
ことを特徴とする化粧材。
【請求項２】
前記芯材の少なくとも１辺に前記保持部材が設けられている請求項１記載の化粧材。
【請求項３】
前記芯材の少なくとも２辺に前記保持部材が設けられている請求項１記載の化粧材。
【請求項４】
前記保持部材は、底板部と、前記底板部の一方の面に対して垂直方向に突出した壁状の支え部とを有する請求項１、２又は３記載の化粧材。
【請求項５】
前記保持部材は、木口材として機能する請求項１、２、３又は４記載の化粧材。
【請求項６】
芯材の外周部の少なくとも一部に保持部材を設ける工程、
前記芯材を介して第１化粧板と第２化粧板とを載置し、前記保持部材にて前記第１化粧板と前記第２化粧板とを保持する工程とを有する
ことを特徴とする化粧材の製造方法。
【発明の詳細な説明】
【技術分野】
【０００１】
本発明は、化粧材及び化粧材の製造方法に関する。
【背景技術】
【０００２】
従来、建具や引き戸等の扉としては、木質材料からなる芯材の表裏の各面に化粧材を接着剤等で貼り付けた木質扉が一般的である（例えば、特許文献１等参照）。
ところが、このような木質扉は、表裏の湿度や温度の違いにより、表裏化粧材の寸法変化に違いが生じ、反りが発生するという問題があった。
【０００３】
このような反りの発生を改善する手段として、例えば、化粧板の裏面に防湿層を更に設ける方法が考えられる。このような防湿層を設けることで反りは軽減されるが、芯材の構成や保管条件により反りが発生する場合があり、更に、裏面に防湿層を設ける工程が別途必要となる問題もあった。
他に、例えば、芯材を補強するような構成とする方法、例えば、芯材本数を増やす又は金属製の芯材を追加する等の方法も考えられる。
しかしながら、このような芯材を補強する方法では、反りの発生は軽減されるが、保管条件によっては反りが発生する場合があり、また、経済的に価格上昇となる問題があり、更に、扉の重量が増え、取り扱い負荷が増大するという問題があった。
【先行技術文献】
【特許文献】
【０００４】
【特許文献１】実公平３−２２４７７号公報
【発明の概要】
【発明が解決しようとする課題】
【０００５】
本発明は、反りの発生を改善することができる化粧材、及び、該化粧材の製造方法を提供することを目的とする。
【課題を解決するための手段】
【０００６】
本発明者らは、上述した課題を解決するため鋭意検討した結果、芯材と、該芯材を介して載置される第１化粧板と第２化粧板とから構成される化粧材において、表裏の温度差や湿度差による反りの発生は、第１化粧板と第２化粧板とで寸法変化に差が出て内部応力の蓄積に起因することに着目し、上記第１化粧板と第２化粧板とを固定することなく保持させることで、反りの発生を抑制できることを見出し、本発明を完成するに至った。
【０００７】
本発明は、芯材を介して第１化粧板と第２化粧板とが載置された化粧材であって、上記芯材の外周部の少なくとも一部に保持部材が設けられており、上記第１化粧板と上記第２化粧板とは、上記保持部材により保持されていることを特徴とする化粧材である。
【０００８】
本発明の化粧材において、上記芯材の少なくとも１辺に上記保持部材が設けられていることが好ましい。
また、本発明の化粧材は、上記芯材の少なくとも２辺に上記保持部材が設けられていることが好ましい。
また、上記保持部材は、底板部と、上記底板部の一方の面に対して垂直方向に突出した壁状の支え部とを有することが好ましい。
また、上記保持部材は、木口材として機能することが好ましい。
また、本発明は、芯材の外周部の少なくとも一部に保持部材を設ける工程、上記芯材を介して第１化粧板と第２化粧板とを載置し、上記保持部材にて上記第１化粧板と上記第２化粧板とを保持する工程とを有することを特徴とする化粧材の製造方法でもある。
【発明の効果】
【０００９】
本発明の化粧材は、第１化粧板及び第２化粧板が、芯材に設けられた保持部材により保持される構造であり、該第１化粧板と第２化粧板とが芯材に固定されていないため、表裏の湿度差や温度差により寸法変化が生じても内部応力の蓄積を防止でき、その結果、反りの発生を好適に防止できる。
【図面の簡単な説明】
【００１０】
【図１】（ａ）は、本発明の化粧材の好ましい一例の断面を示す模式図であり、（ｂ）は、本発明の化粧材を構成する化粧板の一例の断面の示す模式図であり、（ｃ）は、本発明の化粧材を構成する化粧板であって、化粧シートを用いたものの一例の断面を示す模式図である。
【図２】（ａ）は、本発明の化粧材の好ましい一例の一部を示す斜視図であり、（ｂ）は、本発明の化粧材の好ましい一例を示す斜視図である。
【図３】（ａ）本発明の化粧材の好ましい一例の一部を示す斜視図であり、（ｂ）は本発明の化粧材の好ましい一例の一部を示す斜視図である。
【発明を実施するための形態】
【００１１】
本発明の化粧材は、芯材を介して第１化粧板と第２化粧板とが載置されている。
図１、２に示したように、本発明の化粧材１０は、芯材１１を介して第１化粧板１２と第２化粧板１３とが載置されている。
なお、化粧材１０は、芯材１１を介して第１化粧板１２と第２化粧板１３とが載置（文言通り載せられている状態）されてはいるが、芯材１１と第１化粧板１２との載置されている面積当たり、２０％以下の面積であれば接着剤等で固定されていてもよい。なお、芯材１１と第２化粧板１３とも、これらが載置されている面積当たり、２０％以下の面積であれば接着剤等で固定されていてもよい。
【００１２】
芯材１１の形状としては特に限定されず、本発明の化粧材１０の用途に合わせて適宜決定される。例えば、本発明の化粧材１０を建具や引き戸等の扉として用いる場合、通常、矩形であることが好ましい。
また、芯材１１の厚み等のサイズも特に限定されず、本発明の化粧材１０の用途に合わせて適宜決定されるが、芯材１１は厚みが１５ｍｍ以下であることが好ましい。芯材１１の厚みが１５ｍｍ以下であることで、本発明の化粧材に反りの発生を好適に防止できるとともに、優れた耐水性、防湿性、耐衝撃性、及び耐傷性が得られる。また、後述する化粧板などの他の層との温度などによる伸びの違いに起因する応力反りが生じにくくなる。
【００１３】
芯材１１を構成する材料としては特に限定されず、例えば、樹脂材料、木質材料、金属材料等公知の材料が挙げられる。その中でも、芯材１１を構成する材料としては、剛性や軽さを備える樹脂材料や木質材料が好ましい。
上記樹脂材料としては、例えば、熱可塑性樹脂を含有することが好ましい。
上記熱可塑性樹脂としては、ポリ塩化ビニル樹脂、ポリ酢酸ビニル樹脂、ポリビニルアルコール樹脂などのポリビニル樹脂、ポリエチレン、ポリプロピレン、ポリスチレン、エチレン−酢酸ビニル共重合体樹脂（ＥＶＡ）、エチレン−（メタ）アクリル酸系樹脂などのポリオレフィン樹脂、ポリエチレンテレフタレート樹脂（ＰＥＴ樹脂）などのポリエステル樹脂、アクリル樹脂、ポリカーボネート樹脂、ポリウレタン樹脂、アクリロニトリル−ブタジエンースチレン共重合体（ＡＢＳ樹脂）、アクリロニトリル−スチレン共重合体などの熱可塑性樹脂の単体及び共重合体、あるいは、これらの混合樹脂が好ましく挙げられる。なかでも、ポリオレフィン樹脂やアクリロニトリル−ブタジエン−スチレン共重合体、ポリ塩化ビニル樹脂が好ましい。更に、上記樹脂材料は、発泡されていてもよい。
【００１４】
また、上記木質材料としては、例えば、杉、檜、欅、松、ラワン、チーク、メラピー等の各種素材等が挙げられ、また、芯材１１としては、これらの素材から作られた突板、木材単板、木材合板（ＬＶＬを含む）、パーティクルボード、中密度繊維板（ＭＤＦ）、高密度繊維板（ＨＤＦ）、集成材等のいずれか、ないし、これらを適宜積層した積層材であってもよい。
上記金属材料としては、例えば、鉄等が挙げられる。
【００１５】
また、芯材１１は、無機化合物を含んでいてもよい。無機化合物を含むことで芯材１１の線膨張係数を低減させることができ、結果として本発明の化粧材１０の耐水性を向上させることができる。
上記無機化合物としては、例えば、タルク、炭酸カルシウム、シリカ、マイカ等が挙げられる。なかでも、材料硬度が上がり過ぎず収縮率軽減できる充填材であることからタルクが好適である。
上記無機化合物の含有量としては、芯材１１に含まれる樹脂成分１００質量部に対し、１０質量部以上７０質量部以下であることが好ましい。１０質量部未満であると芯材１１の線膨張係数を充分に低減させることができないことがあり、７０質量部を超えると、芯材１１の強度が不充分となることがある。上記無機化合物の含有量のより好ましい範囲は１０質量部以上６５質量部以下である。
【００１６】
また、芯材１１は、１層により構成されていてもよいし、２層以上の層により構成される積層体でもよい。芯材１１が２層以上の層により構成される積層体である場合、例えば、少なくとも１層がガラス成分を含むものであってもよい。すなわち、芯材１１は、２層以上の層により構成される積層体であり、少なくとも１層が熱可塑性樹脂層であり、他の１層がガラス成分を含むガラス成分層であってもよい。このような構成とすることで優れた耐衝撃性が得られ、また形状安定性が向上する。
ガラス成分を含むガラス成分層は、例えばガラス繊維により構成される層などが好ましく挙げられる。
【００１７】
また、芯材１１が複数の熱可塑性樹脂層を有する場合、該複数の熱可塑性樹脂層を形成する樹脂の種類は同じであっても異なっていてもよく、また複数の熱可塑性樹脂層の厚さは同じであっても異なっていてもよい。
【００１８】
本発明において、芯材１１は、中空構造であっていてもよいし、芯材の一部にスリット溝や貫通穴を設けてもよいし、上記材料を組み合わせた枠状のものでもよい。
また、後述する保持部材１４や金具（取っ手等）を取り付ける上で問題ない範囲であれば、軽量な材料であることが好ましい。なお、芯材１１は、金具等の取り付けのネジ保持力を持たせるために、２種以上の材料組み合わせでもよい。
【００１９】
本発明の化粧材１０において、第１化粧板１２及び第２化粧板１３（以下、まとめて化粧板ともいう）は、本発明の化粧材１０に装飾性を付与する層であり、芯材１１の形状及び大きさに合わせて適宜その形状及び大きさが決定される。なお、図１（ｂ）は、第１化粧板１２を示したが、第２化粧板も同様の構造であることが好ましい。
【００２０】
このような化粧板は、図１（ｂ）に示したように、基板２０に装飾層２１等を積層させた構造を有することが好ましい。
上記化粧板の基板２０は、芯材１１で用いられるものと同様のものを任意に選択すればよい。
基板２０の厚さとしては特に限定されず、例えば、０．５ｍｍ以上４ｍｍ以下程度が好ましく、１ｍｍ以上３ｍｍ以下がより好ましい。上記化粧板の厚さが上記範囲内にあれば、本発明の化粧材１０に優れた耐衝撃性を付与することができる。
また、装飾層２１は、本発明の化粧材に装飾性を付与する層であり、例えば、図１（ｂ）に示したように均一に着色が施された隠蔽層（ベタ印刷層）でもよいし、種々の模様をインキと印刷機を使用して印刷することにより形成される絵柄層であってもよいし、隠蔽層と絵柄層とを組み合わせた層（以下、模様層）であってもよい。上記装飾層２１としては、その他、転写法等で設けられた模様でもよいし、木材を薄くスライスした突板や挽き板でもよいし、着色された基材シートや基材シートに模様を設けた化粧シートでもよい。そして、その中でも以下に示す化粧シートがより好ましい。なお、上記「化粧シート」とは、図１（ｃ）に示したように、基材シート１６及び模様層１７と、後述する透明樹脂層１８や表面保護層１９等の任意の層と、模様層１７及び透明樹脂層１８を接着する接着剤層とからなる積層構造のものが好ましい。
【００２１】
上記隠蔽層を設けることにより、上述した芯材１１が着色していたり色ムラがあったりする場合に、意図した色彩を与えて表面の色を整えることができる。
また、絵柄層を設けることで、木目模様、大理石模様（例えばトラバーチン大理石模様） などの岩石の表面を模した石目模様、布目や布状の模様を模した布地模様、タイル貼模様、煉瓦積模様など、あるいはこれらを複合した寄木、パッチワークなどの模様を化粧シートに付与することができる。これらの模様は通常の黄色、赤色、青色、及び黒色のプロセスカラーによる多色印刷によって形成される他、模様を構成する個々の色の版を用意して行う特色による多色印刷などによっても形成される。
【００２２】
上記化粧板に用いるインキ組成物としては、バインダー樹脂に顔料、染料などの着色剤、体質顔料、溶剤、安定剤、可塑剤、触媒、硬化剤などを適宜混合したものが使用される。該バインダー樹脂としては特に制限はなく、例えば、ウレタン樹脂、塩化ビニル／酢酸ビニル共重合体樹脂、塩化ビニル／酢酸ビニル／アクリル共重合体樹脂、アクリル樹脂、ポリエステル樹脂、ニトロセルロース樹脂などが好ましく挙げられる。
上記バインダー樹脂としてはこれらの中から任意のものを、１種単独で又は２種以上を混合して用いることができる。
また、上記着色剤としては、カーボンブラック（墨）、鉄黒、チタン白、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料、又は染料、アルミニウム、真鍮などの鱗片状箔片からなる金属顔料、二酸化チタン被覆雲母、塩基性炭酸鉛などの鱗片状箔片からなる真珠光沢（パール）顔料などが好ましく挙げられる。
【００２３】
上記装飾層の厚さとしては特に限定されず、例えば、０．５μｍ以上１ｍｍ以下程度が好ましく、１μｍ以上６００μｍ以下がより好ましい。上記化粧板の厚さが上記範囲内にあれば、本発明の化粧材１０に優れた意匠を付与することができ、また隠蔽性を付与することができる。
【００２４】
（基材シート１６）
上記基材シートは、所望に応じて設けられる層であり、好ましくは熱可塑性樹脂により形成される層である。上記熱可塑性樹脂としては、上記発泡樹脂層に設けられる熱可塑性樹脂として例示したものを好ましく挙げることができる。なかでも、ポリオレフィン樹脂が好ましく、ポリエチレン樹脂、ポリプロピレン樹脂がより好ましい。
【００２５】
上記基材シートは、透明でも着色されていてもよく、化粧材を設ける下地を隠蔽する観点から着色されていることが好ましい。用いられる着色剤としては、上記装飾層で用いられる着色剤として例示したものを好ましく挙げることができる。
【００２６】
上記基材シートの厚さは、１０μｍ以上１５０μｍ以下が好ましく、３０μｍ以上１００μｍ以下がより好ましく、４０μｍ以上８０μｍ以下がさらに好ましい。上記基材シートの厚さが上記範囲内であると、取り扱いが容易であり、また必要以上に本発明の化粧材が厚くなることがない。
【００２７】
また、上記基材シートには、必要に応じ、充填剤、難燃剤、滑剤、酸化防止剤、紫外線吸収剤、光安定剤等の各種の添加剤を添加してもよい。
【００２８】
（透明樹脂層）
本発明の化粧材は、図１（ｃ）に示したように、第１化粧板１２の芯材側と反対側面に透明樹脂層１８が形成されていてもよい。
透明樹脂層１８は第１化粧板１２を保護するために設けられる任意の層であり、好ましくは上述した熱可塑性樹脂により形成される層である。なお、上記透明樹脂層は、図１（ａ）に示した第２化粧板１３の芯材１１側と反対側面にも形成されていてもよい。
【００２９】
上記透明樹脂層１８は、上記第１化粧板１２が透視可能な様に透明の樹脂層である。ここで、透明とは、無色透明のほか、着色透明や半透明をも含む概念である。
また、上記透明樹脂層１８には、その透明性を損なわない範囲で必要に応じ、充填剤、難燃剤、滑剤、酸化防止剤、紫外線吸収剤、光安定剤等の各種の添加剤を添加してもよい。
上記透明樹脂層１８の厚さは、１０μｍ以上４００μｍ以下が好ましく、３０μｍ以上２５０μｍ以下がより好ましく、５０μｍ以上１００μｍ以下がさらに好ましい。上記透明樹脂層１８の厚さが上記範囲内であると、第１化粧板１２を保護することができ、取り扱いが容易であり、また必要以上に床用化粧材が厚くなることがない。
【００３０】
（表面保護層）
本発明の化粧材は、図１（ｃ）に示したように、透明樹脂層１８の芯材側と反対側面に表面保護層１９が形成されていてもよい。
上記表面保護層１９は、本発明の化粧材に耐衝撃性、耐荷重性、及び耐傷性などの表面特性を付与する、所望に応じて設けられる層である。表面保護層１９は、本発明の化粧材の最表面に設けられる。なお、上記表面保護層は、図１（ａ）に示した第２化粧板１３の芯材１１側と反対側面に形成された透明樹脂層の該芯材１１側と反対側面にも形成されていてもよい。
上記表面保護層１９は、上記化粧板、あるいは好ましく設けられる透明樹脂層１８、接着剤層の上に、硬化性樹脂を含有する樹脂組成物を塗布し、これを硬化したもので構成されることが好ましい。上記硬化性樹脂として、架橋硬化された硬化性樹脂を含有することで、本発明の化粧材の表面特性を向上させることができる。
【００３１】
本発明の化粧材１０は、芯材１１の外周部１５の少なくとも一部に保持部材１４が設けられている。
なお、芯材１１の外周部１５とは、芯材１１の厚み方向の断面が現れた部分を指す。
上記保持部材１４は、上記化粧板を保持する役割を果たす部材であり、上記芯材１１の外周の少なくとも一部に設けられているが、当該保持部材１４の形状、個数及び設置箇所は、上記化粧板を保持する役割を果たすことができる範囲で適宜決定される。なかでも、上記化粧板をより安定的に保持できることから、保持部材１４は、芯材１１の少なくとも１辺に設けられていることが好ましく、より安定的に化粧板を保持できることから、保持部材１４は、芯材１１の少なくとも２辺に設けられていることが好ましい。
【００３２】
本発明の化粧材の厚さとしては特に限定されず、例えば、０．５ｍｍ以上５ｍｍ以下程度が好ましく、１ｍｍ以上４ｍｍ以下がより好ましい。
なお、本発明の化粧材の厚さとは、上述した基板２０と化粧シートとの合計の厚さである。すなわち、上記保持部材を除いた本発明の化粧材を構成する積層構造体の厚さである。
【００３３】
（基板と化粧シートとの貼着工程）
基板２０と化粧シートとの貼着は特に限定されないが、例えば、加熱溶融法や熱ラミネート法、そして水系接着剤や感熱接着剤、感圧接着剤のほか、ホットメルト接着剤等を用いたラミネート法で行うことができる。
【００３４】
本発明の化粧材１０において、上記化粧板を保持する保持部材１４としては、芯材１１に固定された固定部材１４ａと、該固定部材１４ａに固定された支え部１４１と底板部１４２とを有する支え部材１４ｂから構成されていることが好ましい。上記支え部材１４ｂは、例えば、図１に示したように底板部１４２と、該底板部１４２の一方の面に対して垂直方向に突出した壁状の支え部１４１とからなることが好ましい。このような構成の保持部材１４によると、上記化粧板を支え部１４１で好適に保持させることができ、反りの発生の防止と多品種小ロット生産とを好適に達成させることができる。
図１に示した保持部材１４では、支え部材１４ｂは、断面視Ｕ字状を有しており、その両端部である支え部１４１が、固定部材１４ａに対して隙間を設けつつ覆うように固定されており、上記隙間に第１化粧板１２と第２化粧板１３とを挟みこむことでこれらの化粧板が保持される。
なお、上記化粧板を保持する隙間は、上記化粧板の厚み等に基づき適宜調整される。
また、本発明において、支え部１４１は、例えば、化粧板側と反対が方向に折り返された構成とすることで、引き手の機能を付与することができる。
【００３５】
上記保持部材１４は、芯材１１に取り付けることができるとともに第１化粧板１２及び第２化粧板１３を保持できるものであれば特に限定されず、従来公知の樹脂等から構成されていればよい。
また、保持部材１４は、芯材１１の外周部１５の少なくとも一部に設けられているが、上記化粧板の保持安定性を考慮すると、芯材１１の少なくとも１辺又は２辺に設けられていることが好ましい。具体的には、上記芯材１１が矩形状であり、保持部材１４が芯材１１の２辺に設けられている場合、該保持部材１４は、対向する２辺又は隣接する２辺のいずれかに設けられていることがより上記化粧板の保持安定性に優れるため、好ましい。
【００３６】
本発明の化粧材において、上記保持部材１４は、芯材１１の外周部１５に設けられる部材であるので、木口材として機能することが好ましい。この場合、上記保持部材１４は、芯材１１の少なくとも１辺の全体を覆うように設けられていることが好ましい。
なお木口材とは木材を横に切った断面を覆い隠す材のことであり、本発明においては化粧材の厚み方向の断面の１辺にあたる。
【００３７】
本発明の化粧板は、上記芯材の外周部の少なくとも一部に保持部材を設ける工程、上記芯材を介して第１化粧板と第２化粧板とを載置し、上記保持部材にて上記第１化粧板と上記第２化粧板とを保持する工程とを有する方法にて製造することができる。
このような化粧板を製造する方法もまた、本発明の一つである。
【００３８】
本発明の化粧板の製造方法において、上記芯材、保持部材、第１化粧板及び第２化粧板は、いずれも上述した本発明の化粧板において説明したものが挙げられ、上述した方法で取り付け等される。
【００３９】
本発明の化粧材は、芯材に設けられた保持部材により第１化粧板及び第２化粧板が保持される構造であるため、第１化粧板及び第２化粧板が芯材に固定されておらず、その結果、表裏の湿度差及び温度差等により寸法変化が生じた場合であっても、反りの発生を好適に防止でき、また、第１化粧板又は第２化粧板のみの交換も容易にできるため、多品種層ロットでの生産の要求に充分に応えることができる。
【実施例】
【００４０】
次に、本発明を実施例により、さらに詳細に説明するが、本発明は、この例によってなんら限定されるものではない。
【００４１】
（実施例１）
基材シートとして準備した着色ポリプロピレン樹脂フィルム（厚さ；６０μｍ、色；白系）に、グラビア印刷でインキ組成物（アクリルウレタン系）を用いて厚さ２μｍの石目柄の絵柄層を形成した。
次いで、ウレタン系ドライラミネート用接着剤を用いて厚さ２μｍの接着剤層を形成し、該装飾層の上に透明ポリプロピレン樹脂フィルム（厚さ；８０μｍ）の透明樹脂層をドライラミネートして設けた。
該透明樹脂層上に、２液硬化型ウレタン樹脂を用いて厚さ１μｍのプライマー層を形成した。そして、該プライマー層上に電子線硬化性樹脂組成物（アクリレート系）をグラビア印刷によって塗布量５ｇ／ｍ２で塗布して、塗膜を形成し、電子線を照射して該塗膜を架橋硬化させ、表面保護層（厚さ：５μｍ）を形成した。
更に、上記表面保護層側に対してエンボス模様を形成し、化粧シートを作製し、中密度ポリエチレン樹脂シート（引張弾性率；２００ＭＰａ、厚さ；３ｍｍ）に上記化粧シート（厚さ０．１５ｍｍ）をウレタン系ドライラミネート用接着剤を介してドライラミネートにて貼着し、第１化粧板を作製した。同様にして第２化粧板も作製した。
【００４２】
次に、図３（ａ）に示したように、４０ｍｍ角×７尺×２本のＬＶＴ角材３３と、４０ｍｍ角×３尺×２本のＬＶＬ角材３４とで４辺周囲を囲むことで枠材を作り、さらに横桟状に２箇所４０ｍｍ角×３尺×２本の角材３５を固定させて作製した「目」字状（漢字の目の形）のフレームを芯材３２として用意した。
なお、それぞれのフレームは接着剤（ジャパンコーティングレジン社製ＢＡ−１０Ｌ（主剤）：ＢＡ−１１Ｂ（硬化剤）＝１００：２．５（質量比））を用いて固定した。
図３（ｂ）に示したように、芯材３２の長尺の両方の側面であって上部と下部との一部を除いた箇所に、図１に示した構造の樹脂製の固定部材１４ａをビス留めにて固定した。
上記の片方の固定部材１４ａに引き手の機能を付与した樹脂製の支え部材１４ｂを嵌め込み、更にもう片方の固定部材１４ａにも支え部材１４ｂを嵌め込んだ。
次に、芯材３２下部の側面に固定部材１４ａをビス留めした後に、支え部材１４ｂを嵌め込んだ。
その次に、化粧板の幅サイズを、芯材３２長手の両サイドの支え部材１４ｂの底板部１４２間の距離よりも４ｍｍ短いサイズにカットし、第１化粧板３０及び第２化粧板３１を表裏の芯材３２と支え部材１４ｂの支え部１４１との間に差込み固定した。
最後に芯材３２の上部側面に固定部材１４ａをビス留めし、支え部材１４ｂを同様にして嵌め込み、扉を作製した。
得られた扉の反りの発生の有無は扉を２０℃、６５％ＲＨの環境下で１週間養生した後、一方を３５℃、６０％ＲＨ、他方を５℃、４０％の環境下の条件で３日放置して評価したところ、反りは発生していなかった。
【００４３】
（実施例２）
芯材３２の短尺側面部だけに固定部材１４ａをビス留めした後に支え部材１４ｂを嵌め込み、表裏の第１及び第２化粧板３０、３１を芯材３２と支え部材１４ｂの支え部１４１との間に差込み、固定した以外は、実施例１と同様にして扉を作製した。
得られた扉の反りの発生の有無を実施例１と同様にして評価したところ、反りは発生していなかった。
【００４４】
（実施例３）
芯材３２と保持部材１４の支え部材１４ｂとを直接接着固定し、固定部材１４ａを用いなかった以外は、実施例１と同様にして扉を作製した。
得られた扉の反りの発生の有無を実施例１と同様にして評価したところ、反りは発生していなかった。
【００４５】
（比較例１）
芯材３２に保持部材を取り付けず、芯材３２に、それぞれ第１化粧板３０及び第２化粧板３１を、接着剤を介して貼り付けた以外は、実施例１と同様にして扉を作製した。
得られた扉の反りの発生の有無を実施例１と同様にして評価したところ、反りが発生していた。
【産業上の利用可能性】
【００４６】
本発明によれば、反りの発生を改善することができるとともに、多品種小ロット生産にも対応し易い化粧材、及び、該化粧材の製造方法を提供できる。本発明の化粧材は、住居用の建具や引き戸等の扉に好適に用いられる。
【符号の説明】
【００４７】
１０  化粧材
１１、３２  芯材
１２、３０  第１化粧板
１３、３１  第２化粧板
１４  保持部材
１４ａ  固定部材
１４ｂ  支え部材
１５  外周部
１６  基材シート
１７  模様層
１８  透明樹脂層
１９  表面保護層
２０  基板
２１  装飾層
３３、３４、３５  角材
１４１  支え部
１４２  底板部
【図１】
2019010799.tif 000003
【図２】
2019010799.tif 000004
【図３】
2019010799.tif 000005